(57)【要約】      （修正有）【課題】ゴルフクラブヘッド及びゴルフクラブヘッドの製造方法を提供する。【解決手段】第１の材料で作製された複数のウェイト部と、第２の材料で作製された中空ボディ部であり、中空ボディ部はフェース部と、トウ部と、トップ部と、ソール部と、周縁に沿って複数の外部ウェイトポートを持つバック部と、トップ部とソール部の間およびフェース部とバック部の間に延びる内部キャビティとを有し、少なくとも１つの外部ウェイトポートは内部キャビティに接続され、内部キャビティは少なくとも１つの外部ウェイトポートを通じて弾性ポリマー材料で部分的に又は完全に充填されている、中空ボディ部と、を備えたゴルフクラブヘッドであって、複数の外部ウェイトポートの各々は、ポート径と関連しているとともに、少なくとも１つのウェイト部を受けるように構成され、２つの隣接する外部ウェイトポートは、ポート径より小さい間隔で離されていることを特徴とする。【選択図】図１
2018075453.tif 000002
【特許請求の範囲】
【請求項１】
第１の材料で作製された複数のウェイト部と、
第２の材料で作製された中空ボディ部であり、前記中空ボディ部はフェース部と、トウ部と、トップ部と、ソール部と、周縁に沿って複数の外部ウェイトポートを持つバック部と、前記トップ部と前記ソール部の間および前記フェース部と前記バック部の間に延びる内部キャビティとを有し、前記複数の外部ウェイトポートのうちの少なくとも１つの外部ウェイトポートは前記内部キャビティに接続され、前記内部キャビティは前記少なくとも１つの外部ウェイトポートを通じて弾性ポリマー材料で部分的に又は完全に充填されている、前記中空ボディ部と、
を備えたゴルフクラブヘッドであって、
前記複数の外部ウェイトポートの各々は、ポート径と関連しているとともに、前記複数のウェイト部のうちの少なくとも１つのウェイト部を受けるように構成され、
いずれか２つの隣接する外部ウェイトポートは、前記ポート径より小さい間隔で離されていることを特徴とするゴルフクラブヘッド。
【請求項２】
請求項１に記載のゴルフクラブヘッドにおいて、
前記複数の外部ウェイトポートは、少なくとも３つの外部ウェイトポートを有することを特徴とするゴルフクラブヘッド。
【請求項３】
請求項１に記載のゴルフクラブヘッドにおいて、
前記内部キャビティは、熱可塑性エラストマー材料で少なくとも５０％が充填されたキャビティを有することを特徴とするゴルフクラブヘッド。
【請求項４】
請求項１に記載のゴルフクラブヘッドにおいて、
前記内部キャビティは、前記トップ部と前記ソール部の間に延びるキャビティ高を有し、前記キャビティ高は、前記中空ボディ部のボディ高の少なくとも５０％であることを特徴とするゴルフクラブヘッド。
【請求項５】
請求項１に記載のゴルフクラブヘッドにおいて、
前記複数のウェイト部は、前記中空ボディ部と一体化された少なくとも１つの取り外し不能なウェイト部を有することを特徴とするゴルフクラブヘッド。
【請求項６】
請求項１に記載のゴルフクラブヘッドにおいて、
前記フェース部は、１５度から７５度の間のロフト角を有することを特徴とするゴルフクラブヘッド。
【請求項７】
請求項１に記載のゴルフクラブヘッドにおいて、
前記フェース部は、０．０６０インチ（１．５ミリメートル）以下の厚さを有することを特徴とするゴルフクラブヘッド。
【請求項８】
第１の材料で作製された２以上のウェイト部と、
第２の材料で作製された中空ボディ部であり、前記中空ボディ部はフェース部と、トウ部と、ヒール部と、トップ部と、ソール部と、前記中空ボディ部の周縁に沿って２以上の外部ウェイトポートを持つバック部と、前記トップ部と前記ソール部の間および前記フェース部と前記バック部の間に延びる内部キャビティとを有し、各外部ウェイトポートはバックウォール部の開口部から前記中空ボディ部の前記第２の材料内に延びる穴によって画定され、前記内部キャビティは弾性ポリマー材料で少なくとも一部が充填されている、前記中空ボディ部と、
を備えたゴルフクラブヘッドであって、
前記２以上の外部ウェイトポートの各々は、ポート径と関連しているとともに、前記複数のウェイト部の各ウェイト部の前記第１の材料が前記複数の外部ウェイトポートの対応する外部ウェイトポートの前記第２の材料と係合するよう、前記２以上のウェイト部のうちの少なくとも１つのウェイト部を受けるように構成され、
いずれか２つの隣接する外部ウェイトポートは、前記ポート径より小さい間隔で離されていることを特徴とするゴルフクラブヘッド。
【請求項９】
請求項８に記載のゴルフクラブヘッドにおいて、
前記内部キャビティは、熱可塑性エラストマー材料で少なくとも５０％が充填されたキャビティを有することを特徴とするゴルフクラブヘッド。
【請求項１０】
請求項８に記載のゴルフクラブヘッドにおいて、
前記内部キャビティは、前記トップ部と前記ソール部の間に延びるキャビティ高を有し、前記キャビティ高は、前記中空ボディ部のボディ高の少なくとも５０％であることを特徴とするゴルフクラブヘッド。
【請求項１１】
請求項８に記載のゴルフクラブヘッドにおいて、
前記２以上のウェイト部は、前記中空ボディ部と一体化された少なくとも１つの取り外し不能なウェイト部を有することを特徴とするゴルフクラブヘッド。
【請求項１２】
請求項８に記載のゴルフクラブヘッドにおいて、
前記フェース部は、１５度から７５度の間のロフト角を有することを特徴とするゴルフクラブヘッド。
【請求項１３】
請求項８に記載のゴルフクラブヘッドにおいて、
前記フェース部は、０．０６０インチ（１．５ミリメートル）以下の厚さを有することを特徴とするゴルフクラブヘッド。
【請求項１４】
第１の材料で作製された複数のウェイト部と、
第２の材料で作製された中空ボディ部であり、前記中空ボディ部はフェース部と、トウ部と、トップ部と、ソール部と、周縁に沿って複数の外部ウェイトポートを持つバック部と、前記トップ部と前記ソール部の間および前記フェース部と前記バック部の間に延びる内部キャビティとを有し、前記複数の外部ウェイトポートのうちの少なくとも１つの外部ウェイトポートは前記内部キャビティに接続され、前記内部キャビティは前記少なくとも１つの外部ウェイトポートを通じて弾性ポリマー材料で部分的に又は完全に充填されている、前記中空ボディ部と、
を備えたアイアン型ゴルフクラブヘッドであって、
前記複数の外部ウェイトポートの各々は、ポート径と関連しているとともに、前記複数のウェイト部のうちの少なくとも１つのウェイト部を受けるように構成され、
いずれか２つの隣接する外部ウェイトポートは、前記ポート径より小さい間隔で離され、
前記外部ウェイトポートの少なくとも１つは、前記トップ部よりも前記ソール部に近いことを特徴とするアイアン型ゴルフクラブヘッド。
【請求項１５】
請求項１４に記載のアイアン型ゴルフクラブヘッドにおいて、
前記中空ボディ部は、前記ソール部と前記トウ部の間のソール・アンド・トウ推移領域又はその近傍に一体型質量部を更に有し、前記質量部はタングステン系材料で作製されたことを特徴とするアイアン型ゴルフクラブヘッド。
【請求項１６】
請求項１４に記載のアイアン型ゴルフクラブヘッドにおいて、
前記中空ボディ部は、前記ソール部と前記トウ部の間のソール・アンド・トウ推移領域又はその近傍に一体型質量部を有し、前記一体型質量部の少なくとも一部は、当該ゴルフクラブヘッドの水平中央平面の下側にあることを特徴とするアイアン型ゴルフクラブヘッド。
【請求項１７】
請求項１４に記載のアイアン型ゴルフクラブヘッドにおいて、
前記内部キャビティは、熱可塑性エラストマー材料で少なくとも５０％が充填されたキャビティを有することを特徴とするアイアン型ゴルフクラブヘッド。
【請求項１８】
請求項１４に記載のアイアン型ゴルフクラブヘッドにおいて、
前記内部キャビティは、前記トップ部と前記ソール部の間に延びるキャビティ高を有し、前記キャビティ高は、前記中空ボディ部のボディ高の少なくとも５０％であることを特徴とするアイアン型ゴルフクラブヘッド。
【請求項１９】
請求項１４に記載のアイアン型ゴルフクラブヘッドにおいて、
前記フェース部は、１５度から７５度の間のロフト角を有することを特徴とするアイアン型ゴルフクラブヘッド。
【請求項２０】
請求項１４に記載のアイアン型ゴルフクラブヘッドにおいて、
前記フェース部は、０．０６０インチ（１．５ミリメートル）以下の厚さを有することを特徴とするアイアン型ゴルフクラブヘッド。
【発明の詳細な説明】
【技術分野】
【０００１】
［著作権表示］
本開示は、著作権による保護の対象となり得る。著作権者は、特許商標庁の特許ファイル又は記録に表れるように、本開示又はその関連文書が何人かによりファクシミリ複製されることに異議を持たないが、そうでない場合には全ての著作権を留保する。
【０００２】
［関連出願の相互参照］
本出願は、2014年2月20日に出願された米国仮出願第61/952,470号、2014年2月27日に出願された米国仮出願第61/945,560号、2014年3月6日に出願された米国仮出願第61/948,839号、2014年3月13日に出願された米国仮出願第61/952,470号、2014年5月13日に出願された米国仮出願第61/992,555号、2014年6月11日に出願された米国仮出願第62/010,836号、2014年6月13日に出願された米国仮出願第62/011,859号、及び、2014年8月4日に出願された米国仮出願第62/032,770号の利益を主張する。本出願は、2014年8月25日に出願された米国仮出願第62/041,538号の利益を主張する、2014年9月26日に出願された米国非仮出願第14/498,603号の継続出願である、2014年10月13日に出願された米国非仮出願第14/513,073号の継続出願である、2015年1月5日に出願された米国非仮出願第14/589,277号の継続出願である。本出願はまた、2014年8月29日に出願された米国出願第29/501,006号の分割出願である、2014年12月11日に出願された米国出願29/511,482号の一部継続出願である。本出願はまた、2014年8月29日に出願された米国出願第29/501,006号の一部継続出願である、2015年1月9日に出願された米国出願29/514,256号の一部継続出願である。本出願はまた、2014年12月11日に出願された米国出願第29/501,006号の一部継続出願である、2015年1月20日に出願された米国出願29/515,013号の一部継続出願である。本出願はまた、2014年10月21日に出願された米国出願第29/506,825号の継続出願である、2015年1月22日に出願された米国出願29/515,381号の一部継続出願である。本出願はまた、2014年10月21日に出願された米国出願第29/506,825号の分割出願である、2014年12月18日に出願された米国出願29/515,381号の一部継続出願である。参照出願の開示は、参照により本明細書に組み込まれる。
【０００３】
［技術分野］
本開示は、一般にゴルフ用品に関し、より具体的には、ゴルフクラブヘッド及びゴルフクラブヘッド製造方法に関する。
【背景技術】
【０００４】
種々の材料（例えば、鋼系材料、チタン系材料、タングステン系材料、等）は、ゴルフクラブの製造に使用することができる。ゴルフクラブヘッドの製造に複数の材料を用いることで、ゴルフクラブヘッドの重心（ＣＧ）の位置及び／又は慣性モーメント（ＭＯＩ）を、ゴルフボールの特定の弾道とスピン量を生み出すように最適化することができる。
【図面の簡単な説明】
【０００５】
【図１】図１は、本明細書に記載の器具、方法及び製造物の一実施形態に関するゴルフクラブヘッドの正面図である。
【０００６】
【図２】図２は、図１の例のゴルフクラブヘッドの背面図である。
【０００７】
【図３】図３は、図１の例のゴルフクラブヘッドの平面図である。
【０００８】
【図４】図４は、図１の例のゴルフクラブヘッドの底面図である。
【０００９】
【図５】図５は、図１の例のゴルフクラブヘッドの左側面図である。
【００１０】
【図６】図６は、図１の例のゴルフクラブヘッドの右側面図である。
【００１１】
【図７】図７は、図１の例のゴルフクラブヘッドの７−７線に沿った断面図である。
【００１２】
【図８】図８は、図１の例のゴルフクラブヘッドの８−８線に沿った断面図である。
【００１３】
【図９】図９は、図１の例のゴルフクラブヘッドの９−９線に沿った断面図である。
【００１４】
【図１０】図１０は、図１の例のゴルフクラブヘッドの他の背面図である。
【００１５】
【図１１】図１１は、図１の例のゴルフクラブヘッドに関連するウェイト部の平面図である。
【００１６】
【図１２】図１２は、図１の例のゴルフクラブヘッドに関連するウェイト部の側面図である。
【００１７】
【図１３】図１３は、図１の例のゴルフクラブヘッドに関連する他のウェイト部の側面図である。
【００１８】
【図１４】図１４は、図１の例のゴルフクラブヘッドのボディ部の背面図である。
【００１９】
【図１５】図１５は、図１の例のゴルフクラブヘッドのフェース部の断面図である。
【００２０】
【図１６】図１６は、図１の例のゴルフクラブヘッドの他のフェース部の断面図である。
【００２１】
【図１７】図１７は、本明細書に記載の例のゴルフクラブヘッドを製造する１つの方法を示す図である。
【００２２】
【図１８】図１８は、図４の例のゴルフクラブヘッドの１８−１８線に沿った他の断面図である。
【発明を実施するための形態】
【００２３】
説明の簡素化及び明確化のために、図面は構造を一般的な方法で示し、周知の機能及び技術の説明及び詳細は本開示を不必要に不明瞭にすることを避けるために省略される。また、図面中の要素は一定の縮尺で描かれないことがある。例えば、図面中の一部の要素の寸法は、本開示の実施例の理解の改善を助けるために他の要素に対して誇張され得る。
【００２４】
一般に、ゴルフクラブヘッド及びゴルフクラブヘッド製造方法が本明細書に記載される。本明細書に記載の器具、方法、及び製造物は、これに限定されない。
【００２５】
図１−１４の例では、ゴルフクラブヘッド１００は、ボディ部１１０（図１４）と、概して第１セットのウェイト部１２０（例えば、ウェイト部１２１、１２２、１２３、及び１２４として示される）及び第２セットのウェイト部１３０（例えば、ウェイト部１３１、１３２、１３３、１３４、１３５、１３６、及び１３７として示される）として示される、２以上のウェイト部を含んでもよい。ボディ部１１０は、トウ部１４０、ヒール部１５０、フロント部１６０、バック部１７０、トップ部１８０、及びソール部１９０を含んでもよい。ボディ部１１０は、トウ部１４０、ヒール部１５０、フロント部１６０、バック部１７０、トップ部１８０、及びソール部１９０を含んでもよい。ボディ部１１０は、第１の材料で作製され得る一方で、第１及び第２セットのウェイト部１２０、１３０は、それぞれ、第２の材料で作製され得る。第１の材料及び第２の材料は、類似の材料でもよく、異なる材料でもよい。例えば、ボディ部１１０は、部分的に又は完全に鋼系材料（例えば、１７−４ＰＨステンレス鋼、Ｎｉｔｒｏｎｉｃ（登録商標）５０ステンレス鋼、マレージング鋼又は他のタイプのステンレス鋼）、チタン系材料、アルミニウム系材料（例えば、高強度アルミニウム合金又は高強度合金で被覆された複合アルミニウム合金）、これらの任意の組み合わせ、及び／又は他の適切なタイプの材料で作製されてもよい。第１及び第２セットのウェイト部１２０、１３０は、それぞれ、部分的に又は完全にタングステン系材料のような高密度材料又は他の適切なタイプの材料で作製されてもよい。あるいは、ボディ部１１０及び／又は第１及び第２セットのウェイト部１２０、１３０は、それぞれ、部分的に又は完全に非金属材料（例えば、複合材料、プラスチック、等）で作製されてもよい。器具、方法、及び製造物は、これに限定されない。
【００２６】
ゴルフクラブヘッド１００は、アイアン型ゴルフクラブヘッド（例えば、１番アイアン、２番アイアン、３番アイアン、４番アイアン、５番アイアン、６番アイアン、７番アイアン、８番アイアン、９番アイアン、等）でもよく、又はウェッジ型ゴルフクラブヘッド（例えば、ピッチングウェッジ、ロブウェッジ、サンドウェッジ、４４度（°）、４８°、５２°、５６°、６０°のようなｎ度ウェッジ、等）でもよい。図１−１０は特定のタイプのクラブヘッドを示すが、本明細書に記載の器具、方法、及び製造物は、他のタイプのクラブヘッド（例えば、ドライバ型クラブヘッド、フェアウェイウッド型クラブヘッド、ハイブリッド型クラブヘッド、パター型クラブヘッド、等）に適用されてもよい。本明細書に記載の器具、方法、及び製造物は、これに限定されない。
【００２７】
トウ部１４０及びヒール部１５０は、ボディ部１１０の対向する両端部にあってもよい。ヒール部１５０は、ゴルフクラブを形成するシャフトの一方の端部で、グリップ（不図示）を持つシャフト（不図示）を受けるように構成されたホーゼル部１５５と、他方の端部にあるゴルフクラブヘッド１００とを含んでもよい。
【００２８】
フロント部１６０は、フェース部１６２（例えば、打撃面）を含んでもよい。フェース部１６２は、フロント面１６４及びバック面１６６を含んでもよい。フロント面１６４は、トウ部１４０とヒール部１５０の間に延びる１以上の溝１６８を含んでもよい。図では特定の数の溝を示すが、本明細書に記載の器具、方法、及び製造物は、より多い溝を含んでもよく、より少ない溝を含んでもよい。フェース部１６２は、ゴルフボール（不図示）に衝撃を与えるために使用されてもよい。フェース部１６２は、ボディ部１１０と一体的な部分であってもよい。あるいは、フェース部１６２は、別々の部品でもよく、種々の製造方法及び／又は工程（例えば、ボンディング工程、溶接工程、ろう付け工程、機械的なロック方法、それらの任意の組み合わせ、又は他の適切なタイプの製造方法及び／又は工程）を介してボディ部１１０に結合される挿入物でもよい。フェース部１６２は、ゴルフクラブヘッド１００のロフト角を定義するロフト面と関連付けられてもよい。ロフト角は、ゴルフクラブのタイプ（例えば、ロングアイアン、ミドルアイアン、ショートアイアン、ウェッジ、等）によって異なってもよい。一例では、ロフト角は、５度から７５度の間としてもよい。他の例では、ロフト角は２５度から６０度の間としてもよい。本明細書に記載の器具、方法、及び製造物は、これに限定されない。
【００２９】
図１４に示すように、バック部１７０は、概して第１セットの外部ウェイトポート１４２０（例えば、ウェイトポート１４２１、１４２２、１４２３、及び１４２４として示される）及び第２セットの外部ウェイトポート１４３０（例えば、ウェイトポート１４３１、１４３２、１４３３、１４３４、１４３５、１４３６、及び１４３７として示される）として示される、バック部１７０の周囲に沿った１以上の外部ウェイトポートを有するバックウォール部１４１０を含んでもよい。各外部ウェイトポートは、ポート直径と関連付けられてもよい。一例では、ポート直径は、約０．２５インチ（６．３５ミリメートル）であってもよい。第１セットの外部ウェイトポート１４２０のうちのいずれか２つの隣接する外部ウェイトポートは、ポート直径よりも小さく分離されてもよい。同様に、第２セットの外部ウェイトポート１４３０のうちのいずれか２つの隣接する外部ポートは、ポート直径よりも小さく分離されてもよい。第１及び第２セットの外部ウェイトポート１４２０、１４３０は、１以上のウェイト部を受けるように構成された外部ウェイトポートであってもよい。具体的には、第１セット１２０の各ウェイト部（例えば、ウェイト部１２１、１２２、１２３、及び１２４として示される）は、トウ部１４０及び／又はバック部１７０のトップ部１８０にあるウェイトポートに配置されてもよく、その近傍にあるウェイトポートに配置されてもよい。例えば、ウェイト部１２１は、部分的に又は完全にウェイトポート１４２１に配置されてもよい。他の例では、ウェイト部１２２は、トップ部１８０とトウ部１４０の推移領域（例えば、トップ・アンド・トウ推移領域）にあるウェイトポート１４２２に配置されてもよい。第２セット１３０の各ウェイト部（例えば、ウェイト部１３１、１３２、１３３、１３４、１３５、１３６、及び１３７として示される）は、トウ部１４０及び／又はバック部１７０のソール部１９０にあるウェイトポートに配置されてもよく、その近傍にあるウェイトポートに配置されてもよい。例えば、ウェイト部１３５は、部分的に又は完全にウェイトポート１４３５に配置されてもよい。他の例では、ウェイト部１３６は、ソール部１９０とトウ部１４０の推移領域（例えば、ソール・アンド・トウ推移領域）にあるウェイトポート１４３６に配置されてもよい。以下に詳細に説明するように、第１及び第２セットのウェイト部１２０、１３０は、それぞれ、種々の製造方法及び／又は工程（例えば、ボンディング工程、溶接工程、ろう付け工程、機械的なロック方法、それらの任意の組み合わせ、又は他の適切なタイプの製造方法及び／又は工程）でボディ部１１０のバック部１７０に結合されてもよい。
【００３０】
あるいは、ゴルフクラブヘッド１００は、（ｉ）第１セットのウェイト部１２０の、（ｉｉ）第２セットのウェイト部１３０の、又は（ｉｉｉ）第１及び第２セットのウェイト部１２０、１３０の両方を含まなくてもよい。具体的には、ボディ部１１０のバック部１７０は、トップ部１７０及び／又はソール部１９０にあるウェイトポートを含まなくてもよく、その近傍にあるウェイトポートを含まなくてもよい。例えば、第１セットのウェイト部１２０の質量（例えば、３グラム）及び／又は第２セットのウェイト部１３０の質量（例えば、１６．８グラム）は、別々のウェイト部（複数可）の代わりにボディ部１１０と一体的な部品（複数可）であってもよい。本明細書に記載の器具、方法、及び製造物は、これに限定されない。
【００３１】
第１及び第２セットのウェイト部１２０、１３０は、それぞれ、類似又は異なる物理的特性（例えば、色、形状、サイズ、密度、質量、体積、等）を有してもよい。この結果、第１及び第２セットのウェイト部１２０、１３０は、それぞれ、ゴルフクラブヘッド１００の装飾的なデザインに寄与し得る。図１１に示す図の例では、第１及び第２セットのウェイト部１２０、１３０のウェイト部の各々は、それぞれ、円筒形（例えば、円形の断面）を有してもよい。あるいは、第１セット１２０のウェイト部の各々は、第１の形状（例えば、円筒形）であり得る一方で、第２セット１３０のウェイト部の各々は、第２の形状（例えば、立方体形）であり得る。他の例では、第１セットのウェイト部１２０は、異なる形状の２以上のウェイト部を含んでもよい（例えば、ウェイト部１２１は第１の形状であり得る一方で、ウェイト部１２２は第１の形状とは異なる第２の形状であり得る）。同様に、第２セットのウェイト部１３０も、異なる形状の２以上のウェイト部を含んでもよい（例えば、ウェイト部１３１は第１の形状であり得る一方で、ウェイト部１３２は第１の形状とは異なる第２の形状であり得る）。上記の例は特定の形状を持つウェイト部を記載しているが、本明細書に記載の器具、方法、及び製造物は、他の適切な形状（例えば、球体の一部又は全部、立方体、円錐、円柱、角錐、円錐台、立方体状、角柱、錐台、又は他の適切な幾何学的形状）のウェイト部を含んでもよい。上記の例及び図は、ウェイト部のセットとして複数のウェイト部を示しているが、第１及び第２セットのウェイト部１２０、１３０の各セットは、それぞれ、単一のウェイト部であってもよい。一例では、第１セットのウェイト部１２０は、４つの別々のウェイト部の系列ではなく単一のウェイト部であってもよい。他の例では、第２セットのウェイト部１３０は、７つの別々のウェイト部の系列ではなく単一のウェイト部であってもよい。本明細書に記載の器具、方法、及び製造物は、これに限定されない。
【００３２】
図１２及び１３を参照すると、例えば、第１及び第２セットのウェイト部１２０、１３０は、それぞれ、概して１２１０及び１３１０として示される、バック部１７０のウェイトポート（概して図１４に１４２０及び１４３０として示される）にそれぞれ固定されたウェイト部に構成されたネジ山に対応して係合する、ネジ山を含んでもよい。例えば、第１及び第２セットのウェイト部１２０、１３０のウェイト部の各々は、それぞれ、ネジであってもよい。第１及び第２セットのウェイト部１２０、１３０は、それぞれ、工具有り又は無しでバック部１１０から容易に取り外し可能でなくともよい。あるいは、第１及び第２セットのウェイト部１２０、１３０は、それぞれ、第１及び第２セット１２０、１３０の１以上のウェイト部を相対的に重い又は軽いウェイト部にそれぞれ付け替えることができるように、（例えば、工具有りで）容易に取り外し可能であってもよい。他の例では、第１及び第２セットのウェイト部１２０、１３０は、それぞれ、第１及び第２セットのウェイト部１２０、１３０をそれぞれ容易に取り外しできないように、エポキシ樹脂又は接着剤でバック部１７０のウェイトポートに固定されてもよい。更に他の例では、第１及び第２セットのウェイト部１２０、１３０は、それぞれ、第１及び第２セットのウェイト部１２０、１３０をそれぞれ容易に取り外しできないように、エポキシ樹脂及び接着剤の両方でバック部１７０のウェイトポートに固定されてもよい。本明細書に記載の器具、方法、及び製造物は、これに限定されない。
【００３３】
上述したように、第１及び第２セットのウェイト部１２０、１３０は、それぞれ、いくつかの物理的特性が類似してもよいが、他の物理的特性は異なってもよい。図１１−１３に示すように、例えば、第１及び第２セット１２０、１３０のウェイト部の各々は、それぞれ、約０．２５インチ（６．３５ミリメートル）の直径１１１０を有してもよいが、第１及び第２セットのウェイト部１２０、１３０は、それぞれ、高さが異なってもよい。具体的には、第１セット１２０のウェイト部の各々は、第１高さ１２２０（図１２）と関連付けられてもよく、第２セット１３０のウェイト部の各々は、第２高さ１３２０（図１３）と関連付けられてもよい。第１高さ１２２０は、第２高さ１３２０より相対的に小さくてもよい。一例では、第１高さ１２２０は、約０．１２５インチ（３．１７５ミリメートル）であり得る一方で、第２高さ１３２０は、約０．３インチ（７．６２ミリメートル）であり得る。他の例では、第１高さ１２２０は、約０．１６インチ（４．０６４ミリメートル）であり得る一方で、第２高さ１３２０は、約０．４インチ（１０．１６ミリメートル）であり得る。あるいは、第１高さ１２２０は、第２高さ１３２０以上であってもよい。本明細書に記載の器具、方法、及び製造物は、これに限定されない。
【００３４】
ゴルフクラブヘッド１００のための最適な周囲の重み付けを提供するために、第１セットのウェイト部１２０（例えば、ウェイト部１２１、１２２、１２３、及び１２４）は、ホーゼル１５５の重さと釣り合うように構成されてもよい。第２セットのウェイト部１３０（例えば、ウェイト部１３１、１３２、１３３、１３４、１３５、１３６、及び１３７）は、最適な位置にゴルフクラブヘッド１００の重心が置かれるように構成されてもよい。図７−９に戻り、例えば、第１及び第２セットのウェイト部１２０、１３０は、それぞれ、フェース部１６２のバック面１６６から離れて配置されてもよい（例えば、互いに直接結合されない）。すなわち、第１及び第２セットのウェイト部１２０、１３０のそれぞれと、バック面１６６は、ボディ部１１０の内部キャビティ７００によって部分的に又は完全に分離されてもよい。図１４に示すように、例えば、第１及び第２セットの外部ウェイトポート１４２０、１４３０の各外部ウェイトポートは、開口部（例えば、概して７２０及び７３０として示される）及びポートウォール（例えば、概して７２５及び７３５として示される）を含んでもよい。ポートウォール７２５及び７３５は、バックウォール部１４１０と一体的な部分（例えば、バックウォール部１４１０の区間）であってもよい。開口部７２０及び７３０の各々は、それぞれ、ウェイト部１２１及び１３５のようなウェイト部を受けるように構成されてもよい。開口部７２０は、ウェイトポート１４２１の一方の端部に配置されもよく、ポートウォール７２５は、ウェイトポート１４２１の反対側の端部又はその近傍に配置されてもよい。同様に、開口部７３０は、ウェイトポート１４３５の一方の端部に配置されてもよく、ポートウォール７３５は、ウェイトポート１４３５の反対側の端部又はその近傍に配置されてもよい。ポートウォール７２５及び７３５は、フェース部１６２から分離されてもよい（例えば、内部キャビティ７００で分離される）。その結果、第２セットのウェイト部１３０がバック面１６６から離れることで、第２セットのウェイト部１３０がバック面１６６に直接結合する場合よりも、ゴルフクラブヘッド１００の重心（ＣＧ）をフェース部１６２から相対的に更に後方に離すことができ、グラウンド面（例えば、図１０の１０１０として１つ示される）に向かって相対的に低くすることができる。本明細書に記載の器具、方法、及び製造物は、これに限定されない。
【００３５】
図面は特定の断面形状を持つウェイトポートを示しているが、本明細書に記載の器具、方法、及び製造物は、他の適切な断面形状を持つウェイトポートを含んでもよい。一例では、第１及び／又は第２セットのウェイトポート１４２０、１４３０のウェイトポートは、Ｕ字状の断面形状を有してもよい。他の例では、第１及び／又は第２セットのウェイトポート１４２０、１４３０のウェイトポートは、Ｖ字状の断面形状を有してもよい。第１セットのウェイト部１２０に関連する１以上のウェイトポートは、第２セットのウェイト部１３０に関連する１以上のウェイトポートとは異なる断面形状を有してもよい。例えば、ウェイトポート１４２１は、Ｕ字状の断面形状を有し得る一方で、ウェイトポート１４３５は、Ｖ字状の断面形状を有し得る。また、第１セットのウェイト部１２０に関連する２以上のウェイトポートは、異なる断面形状を有してもよい。同様に、第２セットのウェイト部１３０に関連する２以上のウェイトポートは、異なる断面形状を有してもよい。本明細書に記載の器具、方法、及び製造物は、これに限定されない。
【００３６】
図１０に戻って参照すると、例えば、ゴルフクラブヘッド１００は、グラウンド面１０１０、水平中央平面１０２０、及びトップ面１０３０と関連付けられてもよい。具体的には、グラウンド面１０１０は、ゴルフクラブヘッド１００がアドレスポジション（例えば、ゴルフクラブヘッド１００がゴルフボールを打つために調整される）にあるときにゴルフクラブヘッド１００のソール部１９０に接する面であってもよい。トップ面１０３０は、ゴルフクラブヘッドがアドレスポジションにあるときにゴルフクラブヘッド１００のトップ部１８０に接する面であってもよい。グラウンド面１０１０及びトップ面１０３０は、それぞれ、互いに実質的に平行であってもよい。水平中央平面１０２０は、グラウンド面１０１０及びトップ面１０３０のそれぞれの間の垂直方向の中間であってもよい。
【００３７】
第１及び第２セットのウェイト部１２０、１３００は、それぞれ、質量が類似してもよい（例えば、第１及び第２セットのウェイト部１２０、１３０のウェイト部の全てが、それぞれ、ほぼ同じ重さがある）。あるいは、第１及び第２セットのウェイト部１２０、１３０は、それぞれ、個々に質量が異なってもよく、セット全体として質量が異なってもよい。具体的には、第１セット１２０のウェイト部（例えば、１２１、１２２、１２３、及び１２４として示される）の各々は、第２セット１３０の任意のウェイト部（例えば、１３１、１３２、１３３、１３４、１３５、１３５、及び１３７）よりも相対的に小さい質量であってもよい。例えば、第２セットのウェイト部１３０は、ゴルフクラブヘッド１００の外部ウェイト部により全質量の５０％以上を占めてもよい。その結果、ゴルフクラブヘッド１００は、水平中央平面１０２０の下に配置された外部ウェイト部により全質量の少なくとも５０％を有するように構成することができる。本明細書に記載の器具、方法、及び製造物は、これに限定されない。
【００３８】
一例では、ゴルフクラブヘッド１００は、ゴルフクラブのタイプ（例えば、４番アイアン対ロブウェッジ）に基づいて約２２０グラム〜約３３０グラムの範囲の質量を有してもよい。ボディ部１１０は、それぞれ約２０グラム（例えば、外部ウェイト部による全質量）の質量がある第１及び第２セットのウェイト部１２０、１３０を含んで、約２００グラムから約３１０グラムの範囲の質量を有してもよい。第１セット１２０のウェイト部の各々は、約１グラム（１．０ｇ）の質量を有し得る一方で、第２セット１３０のウェイト部の各々は、約２．４グラムの質量を有し得る。第１セットのウェイト部１２０の質量の合計は、約３グラムであり得る一方で、第２セットのウェイト部１３０の質量の合計は、約１６．８グラムであり得る。第２セットのウェイト部１３０の全質量は、第１セットのウェイト部１２０の全質量と同じ程度の５倍以上の重さであってもよい（例えば、約３グラムの第１セットのウェイト部１２０の全質量に対して約１６．８グラムの第２セットのウェイト部１３０の全質量）。ゴルフクラブヘッド１００は、第１及び第２セットのウェイト部１２０、１３０のそれぞれによる１９．８グラムの全質量を有してもよい（例えば、第１セットのウェイト部１２０による３グラムと第２セットのウェイト部１３０による１６．８グラムの合計）。従って、第１セットのウェイト部１２０は、ゴルフクラブヘッド１００の外部ウェイト部により全質量の約１５％を占めることができる一方で、第２セットのウェイト部１３０は、ゴルフクラブヘッド１００の外部ウェイト部により全質量の約８５％を占めることができる。本明細書に記載の器具、方法、及び製造物は、これに限定されない。
【００３９】
第１及び第２セットのウェイト部１２０、１３０をそれぞれボディ部１１０と結合（例えば、バック部１７０のウェイトポートに第１及び第２セットのウェイト部１２０、１３０を固定）することにより、ゴルフクラブヘッド１００の重心（ＣＧ）の位置及び慣性モーメント（ＭＯＩ）は最適されてもよい。具体的には、第１及び第２セットのウェイト部１２０、１３０は、それぞれ、ソール部１９０に向かってＣＧの位置を低くしてもよく、フェース部１６２から更に後方に離してもよい。更に、ＭＯＩは、ＣＧを通って延びる垂直軸（例えば、グラウンド面１０１０に垂直）での測定値が高くなってもよい。ＭＯＩはまた、ＣＧを通って延びる水平軸（例えば、ゴルフクラブヘッドのトウ部１５０及びヒール部１６０のそれぞれに向かって延在する）での測定値が高くなってもよい。その結果、クラブヘッド１００は、第１及び第２セットのウェイト部１２０、１３０のそれぞれを除くゴルフクラブヘッドよりも、相対的に高い打ち上げ角と相対的に低いスピン量を提供することができる。本明細書に記載の器具、方法、及び製造物は、これに限定されない。
【００４０】
あるいは、同じセット内の２以上のウェイト部は、異なる質量であってもよい。一例では、第１セット１２０のウェイト部１２１は、第１セット１２０のウェイト部１２２よりも相対的に少ない質量であってもよい。他の例では、第２セット１３０のウェイト部１３１は、第２セット１３０のウェイト部１３５よりも相対的に少ない質量であってもよい。トップ・アンド・トウ推移領域及び／又はソール・アンド・トウ推移領域に相対的に大きな質量があることで、より多くの重量を、重心（ＣＧ）を通る垂直軸の慣性モーメント（ＭＯＩ）が増加するようにゴルフクラブヘッド１００のＣＧから分散させることができる。
【００４１】
図では別々の個々のパーツとしてウェイト部を示すが、第１及び第２セットのウェイト部１２０、１３０の各セットは、それぞれ、単一のウェイト部であってもよい。一例では、第１セット１２０の全てのウェイト部（例えば、１２１、１２２、１２３、及び１２４として示される）は、単一のウェイト部（例えば、第１のウェイト部）に結合されてもよい。同様に、第２セット１３０の全てのウェイト部（例えば、１３１、１３２、１３３、１３４、１３５、１３６、及び１３７）も、単一のウェイト部（例えば、第２のウェイト部）に結合されてもよい。この例では、ゴルフクラブヘッド１００は、２つのウェイト部だけを有してもよい。図では特定の数のウェイト部を示すが、本明細書に記載の器具、方法、及び製造物は、より多い数のウェイト部を有してもよく、より少ない数のウェイト部を有してもよい。一例では、第１セットのウェイト部１２０は、図に示す３つの別々のウェイト部に代えて２つの別々のウェイト部を有してもよい。他の例では、第２セットのウェイト部１３０は、図に示す７つの別々のウェイト部に代えて５つの別々のウェイト部を有してもよい。上記に代えて、本明細書に記載の器具、方法、及び製造物は、任意の別々のウェイト部を有しなくてもよい（例えば、ボディ部１１０は、ボディ部１１０と一体的な部分（複数可）として別々のウェイト部の質量を含むように製造してもよい）。本明細書に記載の器具、方法、及び製造物は、これに限定されない。
【００４２】
図７−９に戻って参照すると、例えば、ボディ部１１０は、フロント部１６０とバック部１７０の間に延在する内部キャビティ７００を含む中空体であってもよい。更に、内部キャビティ７００は、トップ部１８０とソール部１９０の間に延在してもよい。内部キャビティ７００は、キャビティ高７５０（ＨC）と関連付けられてもよく、ボディ部１１０は、ボディ高８５０（ＨB）と関連付けられてもよい。キャビティ高７５０及びボディ高８５０は、トウ部１４０からヒール部１５０の間で変化し得るが、キャビティ高７５０は、ボディ高８５０の少なくとも５０％であってもよい（ＨC＞０．５＊ＨB）。例えば、キャビティ高７５０は、ボディ高８５０の７０−８５％の間で変化してもよい。内部キャビティ７００のキャビティ高７５０をボディ高８５０の５０％より大きくすることで、ゴルフクラブ１００は、ゴルフクラブ１００がフェース部１６２を介してゴルフボールを打つときに、ボディ高の５０％より小さいキャビティ高のゴルフクラブよりも、相対的により一貫した感触、音、及び／又は結果を生み出すことができる。本明細書に記載の器具、方法、及び製造物は、これに限定されない。
【００４３】
一例では、内部キャビティ７００は、無充填（例えば、空の空間）であってもよい。内部キャビティ７００を含むボディ部１００は、内部キャビティ７００を含まないボディ部１００よりも少ない約１００グラムの重量であってもよい。あるいは、内部キャビティ７００は、弾性ポリマー又はエラストマー材料（例えば、オハイオ州、ケント、Ｓｏｒｂｏｔｈａｎｅ社製のＳｏｒｂｏｔｈａｎｅ（登録商標）のような粘弾性ウレタンポリマー材料）、熱可塑性エラストマー材料（ＴＰＥ）、熱可塑性ポリウレタン材料（ＴＰＵ）、及び／又は衝撃を吸収し、振動を分離し、及び／又はノイズを減衰する他の適切なタイプの材料で、部分的に又は完全に充填されてもよい。例えば、内部キャビティ７００の少なくとも５０％は、ゴルフクラブヘッド１００がフェース部１６２を介してゴルフボールを打つときに衝撃を吸収し、振動を分離し、及び／又はノイズを減衰するＴＰＥ材料を充填してもよい。本明細書に記載の器具、方法、及び製造物は、これに限定されない。
【００４４】
図１５に戻り、例えば、フェース部１６２は、第１厚さ１５１０（Ｔ1）、及び、第２厚さ１５２０（Ｔ2）を含んでもよい。第１厚さ１５１０は、溝１６８に隣接するフェース部１６２の区間の厚さであり得る一方で、第２厚さ１５２０は、溝１６８の下のフェース部１６２の区間の厚さであり得る。例えば、第１厚さ１５１０は、フロント面１６４とバック面１６６の間の最大距離であってもよい。第２厚さ１５２０は、溝１６２に基づいてもよい。具体的には、溝１６８は、溝深さ１５２５（Ｄgroove）を有してもよい。第２厚さ１５２０は、溝１６８の底面とバック面１６６との間の最大距離であってもよい。第２厚さ１５２０と溝深さ１５２５の合計は、第１厚さ１５１０と実質的に等しくてもよい（例えば、Ｔ2＋Ｄgroove＝Ｔ1）。従って、第２厚さ１５２０は、第１厚さ１５１０よりも小さくてもよい（例えば、Ｔ2＜Ｔ1）。
【００４５】
ゴルフクラブヘッド１００の重心を下げ及び／又は更に後方に移動するために、ゴルフクラブヘッド１００のフロント部１６０の重量は、相対的に薄いフェース部１６２を使用することにより除去されてもよい。例えば、第１厚さ１５１０は、約０．０７５インチ（１．９０５ミリメートル）であってもよい（例えば、Ｔ1＝０．０７５インチ）。バックウォール部１４１０のサポートを受けて内部キャビティ７００を形成し、弾性ポリマー材料で内部キャビティ７００の少なくとも一部を充填することで、フェース部１６２は、ゴルフクラブヘッド１００の構造的完全性、音、及び／又は感触を劣化させずに相対的に薄く（例えば、Ｔ1＜０．０７５インチ）することができる。一例では、第１厚さ１５１０は、０．０６０インチ（１．５２４センチメートル）以下であってもよい（例えば、Ｔ1≦０．０６０インチ）。他の例では、第１厚さ１５１０は、０．０４０インチ（１．０１６ミリメートル）以下であってもよい（例えば、Ｔ1≦０．０４０インチ）。フェース部１６２及び／又はボディ部１１０の形成に使用する材料（複数可）のタイプに基づいて、フェース部１６２は、０．０３０インチ（０．７６２ミリメートル）以下の第１厚さ１５１０（例えば、Ｔ1≦０．０３０インチ）より薄くされてもよい。溝深さ１５２５は、第２厚さ１５２０以上であってもよい（例えば、Ｄgroove≧Ｔ2）。一例では、溝深さ１５２５は、約０．０２０インチ（０．５０８ミリメートル）であってもよい（例えば、Ｄgroove＝０．０２０インチ）。従って、第２厚さ１５２０は、約０．０１０インチ（０．２５４ミリメートル）であってもよい（例えば、Ｔ2＝０．０１０インチ）。他の例では、溝深さ１５２５は、約０．０１５インチ（０．３８１ミリメートル）であってもよく、第２厚さ１５２０は、約０．０１５インチであってもよい（例えば、Ｄgroove＝Ｔ2＝０．０１５インチ）。あるいは、溝深さ１５２５は、第２厚さ１５２０より小さくてもよい（例えば、Ｄgroove＜Ｔ2）。バックウォール部１４１０のサポートと内部キャビティ７００に弾性ポリマー材料の充填が無いと、ゴルフクラブヘッドは、フェース部でのゴルフボールによる複数の衝撃に耐えられないかもしれない。本明細書に記載のゴルフクラブヘッド１００とは対照的に、バックウォール部１４１０のサポートと内部キャビティ７００に弾性ポリマー材料の充填が無いが相対的に薄いフェース部を有するゴルフクラブヘッド（例えば、キャビティバックゴルフクラブヘッド）は、ゴルフボールのインパクト時に不快な音（例えば、安っぽい音）及び／又は感触を生み出すかもしれない。本明細書に記載の器具、方法、及び製造物は、これに限定されない。
【００４６】
ゴルフクラブヘッド１００を形成する製造工程及び方法に基づいて、フェース部１６２は、フェース部１６２の周囲又はその近傍に追加の材料を含んでもよい。従って、フェース部１６２はまた、第３厚さ１５３０、及び面取り部１５４０を有してもよい。第３厚さ１５３０は、第１厚さ１５１０又は第２厚さ１５２０のいずれよりも大きくてもよい（例えば、Ｔ3＞Ｔ1＞Ｔ2）。具体的には、フェース部１６２は、溶接工程によってボディ部１１０に結合されてもよい。例えば、第１厚さ１５１０は、約０．０３０インチ（０．７６２ミリメートル）であってもよく、第２厚さ１５２０は、約０．０１５インチ（０．３８１ミリメートル）であってもよく、第３厚さ１５３０は、約０．０５０インチ（１．２７ミリメートル）であってもよい。従って、面取り部１５４０は、フェース部１６２をボディ部１１０に溶接するときに、追加の材料の一部を収容することができる。
【００４７】
図１６に示すように、例えば、フェース部１６２は、１以上の溝１６８の下に、概して１６０５で示される、補強区間を含んでもよい。一例では、フェース部１６２は、各溝の下に補強区間１６０５を含んでもよい。あるいは、フェース部１６２は、幾つかの溝（例えば、他の全ての溝）又は１つの溝の下に補強区間１６０５を含んでもよい。フェース部１６２は、第１厚さ１６１０、第２厚さ１６２０、第３厚さ１６３０、及び面取り部１６４０を含んでもよい。溝１６８は、溝深さ１６２５を有してもよい。補強区間１６８は、第２厚さ１６２０を定義してもよい。第１厚さ１６１０及び第２厚さ１６２０は、それぞれ、互いに実質的に等しくてもよい（例えば、Ｔ1＝Ｔ2）。一例では、第１厚さ１６１０及び第２厚さ１６２０は、それぞれ、約０．０３０インチ（０．７６２ミリメートル）であってもよい（例えば、Ｔ1＝Ｔ2＝０．０３０インチ）。溝深さ１６２５は、約０．０１５インチ（０．０３８１ミリメートル）であってもよく、第３厚さ１６３０は、約０．０５０インチ（１．２７ミリメートル）であってもよい。溝１６８はまた、溝幅を有してもよい。補強区間１６０５の幅は、溝幅以上であってもよい。本明細書に記載の器具、方法、及び製造物は、これに限定されない。
【００４８】
あるいは、フェース部１６２は、トップ部１８０とソール部１９０で厚さが変化してもよく、及び／又はその間で厚さが変化してもよい。一例では、フェース部１６２は、トップ部１８０又はその近傍はソール部１９０又はその近傍よりも相対的に厚くてもよい（例えば、フェース部１６２の厚さは、トップ部１８０からソール部１９０に向かって徐々に減ってもよい）。他の例では、フェース部１６２は、ソール部１９０又はその近傍はトップ部１８０又はその近傍よりも相対的に厚くてもよい（例えば、フェース部１６２の厚さは、ソール部１９０からトップ部１８９に向かって徐々に減ってもよい）。更に他の例では、フェース部１６２は、トップ部１８０とソール部１９０の間はトップ部１８０及びソール部１９０又はその近傍よりも相対的に厚くてもよい（例えば、フェース部１６２の厚さは、ベル型の外形を有してもよい）。本明細書に記載の器具、方法、及び製造物は、これに限定されない。
【００４９】
他のゴルフクラブヘッドのデザインと異なり、ボディ部１１０の内部キャビティ７００と、ゴルフクラブヘッド１００の周囲に沿った第１及び第２セットのウェイト部１２０、１３０のそれぞれの位置は、フェース部１６２から離れていくゴルフボールに相対的に高い打ち出し角と相対的に低いスピンレートをもたらすことができる。その結果、ゴルフボールは、遠くに移動することができる（すなわち、キャリー及びロール距離を含む総距離が大きくなる）。
【００５０】
図１７は、本明細書に記載の例のゴルフクラブヘッドを製造する１つの方法を示す図である。図１７の例では、プロセス１７００は、概して第１及び第２セットのウェイト部１２０、１３０としてそれぞれ示される、２以上のウェイト部を供給することで開始してもよい（ブロック１７１０）。第１及び第２セットのウェイト部１２０、１３０は、それぞれ、タングステン系材料のような第１の材料で作製されてもよい。一例では、第１及び第２セットのウェイト部１２０、１３０は、それぞれ、タングステン合金ネジであってもよい。
【００５１】
プロセス１７００は、フェース部１６２と、内部キャビティ７００と、概して１４２０及び１４３０として示される、２以上の外部ウェイトポートを持つバック部１７０とを有するボディ部１１０を供給してもよい（ブロック１７２０）。ボディ部１１０は、第１の材料とは異なる、第２の材料で作製されてもよい。ボディ部１１０は、インベストメント鋳造工程、ビレット鍛造工程、プレス工程、コンピュータ数値制御（ＣＮＣ）機械工程、ダイキャスト工程、それらの任意の組み合わせ、又は他の適切な製造工程を用いて製造されてもよい。一例では、ボディ部１１０は、鋳造工程を用いて１７−４ＰＨステンレス鋼で作製されてもよい。他の例では、ボディ部１１０は、鍛造工程を用いて他の適切なタイプのステンレス鋼（例えば、オハイオ州、ウエストチェスター、ＡＫスチール社製のＮｉｔｒｏｎｉｃ（登録商標）５０ステンレス鋼）で製造されてもよい。ボディ部１１０の製造にＮｉｔｒｏｎｉｃ（登録商標）５０ステンレス鋼を用いることで、ゴルフクラブヘッド１００は、他のタイプの鋼から作製されたゴルフクラブヘッドよりも相対的に頑丈に及び／又はより耐腐食性を高めることができる。ボディ部１１０の各ウェイトポートは、開口部及びポートウォールを含んでもよい。例えば、ウェイトポート１４２１は、互いに対向する両端部に設けた開口部７２０及びポートウォール７２５を含んでもよい。内部キャビティ７００は、ウェイトポート１４２１のポートウォール７２５とフェース部１６２のバック面１６６を分離してもよい。同様に、ウェイトポート１８３５は、互いに対向する両端部に設けた開口部７３０及びポートウォール７３５を含んでもよい。内部キャビティ７００は、ウェイトポート１４３５のポートウォール７３５とフェース部１６２のバック面１６６を分離してもよい。
【００５２】
プロセス１７００は、第１及び第２セットのウェイト部１２０、１３０の各々を２以上の外部ウェイトポートの１つに結合されてもよい（ブロック１７３０）。一例では、プロセス１７００は、外部ウェイトポート１４２１にウェイト部１２１を挿入して固定し、外部ウェイトポート１４３５にウェイト部１３５を挿入して固定してもよい。一例では、プロセス１７００は、外部ウェイトポート１４２１にウェイト部１２１を挿入して固定し、外部ウェイトポート１４３５にウェイト部１３５を挿入して固定してもよい。
【００５３】
プロセス１７００は、弾性ポリマー材料（例えば、Ｓｏｒｂｏｔｈａｎｅ（登録商標）材料）を内部キャビティ７００に部分的に又は完全に充填してもよい（ブロック１７４０）。一例では、内部キャビティ７００の少なくとも５０％は、弾性ポリマー材料を充填されてもよい。上記のように、弾性ポリマー材料は、ゴルフボールを打つゴルフクラブヘッド１００に応じて衝撃を吸収し、振動を分離し、及び／又はノイズを減衰させることができる。あるいはまた、内部キャビティ７００は、熱可塑性エラストマー材料及び／又は熱可塑性ポリウレタン材料を充填されてもよい。図１８に示すように、例えば、ゴルフクラブヘッド１００は、第１開口部１８３０及び第２開口部１８３５を持つ１以上のウェイトポート（例えば、図１４に１４３１として示される）を含んでもよい。第２開口部１８３５は、内部キャビティ７００にアクセスするために用いられてもよい。一例では、プロセス１７００（図１７）は、第１開口部１８３５から第２開口部１８３５を介して内部キャビティ７００に弾性ポリマー材料を注入することで、内部キャビティ７００に弾性ポリマー材料を充填してもよい。第１開口部１８３０及び第２開口部１８３５は、それぞれ、サイズ及び／又は形状が同じでもよく、異なってもよい。上記の例は第２開口部を持つ特定のウェイトポートを示して説明したが、ゴルフクラブヘッド１００の他の任意のウェイトポートが第２開口部を含んでもよい（例えば、ウェイトポート７２０）。本明細書に記載の器具、方法、及び製造物は、これに限定されない。
【００５４】
図１７に戻って参照すると、プロセス１７００の例は、単に、ゴルフクラブヘッド１００を製造する１つの方法の例を他の図と共に提供し、説明している。アクションの特定の順序を図１７に示しているが、これらのアクションは、他の経時的な順番で実行されてもよい。例えば、図１７に示す２以上のアクションは、連続して、同時に、又は一斉に実行されてもよい。一例では、ブロック１７１０、１７２０、１７３０、及び／又は１７４０は、同時に又は一斉に実行されてもよい。図１７は特定の数のブロックを示すが、プロセスは、１以上のブロックを実行しなくてもよい。一例では、内部キャビティ７００は、充填されなくてもよい（例えば、ブロック１７４０は実行されなくてもよい）。本明細書に記載の器具、方法、及び製造物は、これに限定されない。
【００５５】
本明細書に記載の器具、方法、及び製造物は、種々の実施形態で実現することができ、これらの実施形態のいくつかの前述した説明は、必ずしも全ての可能な実施形態の完全な説明を表すものではない。代わりに、図面の説明、及び図面自体は、少なくとも１つの実施例を開示し、及び代替の実施形態を開示してもよい。
【００５６】
ゴルフのルールが時々変更されるように（例えば、ゴルフ標準団体及び／又は全米ゴルフ協会（ＵＳＧＡ）、全英ゴルフ協会（Ｒ＆Ａ）、等のような運営組織によって、新しい規則が採択されてもよく又は古い規則が変更されてもよい）、本明細書に記載の器具、方法、及び製造物に関連するゴルフ用品は、任意の特定の時点のゴルフのルールに適合しても適合しなくてもよい。従って、本明細書に記載の器具、方法、及び製造物に関連するゴルフ用品は、適合又は不適合のゴルフ用品として宣伝され、売りに出され、及び／又は販売されてもよい。本明細書に記載の器具、方法、及び製造物は、これに限定されない。
【００５７】
器具、方法、及び製造物の特定の例を本明細書で説明したが、本開示の対象領域はこれに限定されない。これに対し、本開示は、添付の特許請求の範囲又は均等論のスコープ内に公正に入る全ての器具、方法、及び製造物をカバーする。
【図１】
2018075453.tif 000003
【図２】
2018075453.tif 000004
【図３】
2018075453.tif 000005
【図４】
2018075453.tif 000006
【図５】
2018075453.tif 000007
【図６】
2018075453.tif 000008
【図７】
2018075453.tif 000009
【図８】
2018075453.tif 000010
【図９】
2018075453.tif 000011
【図１０】
2018075453.tif 000012
【図１１】
2018075453.tif 000013
【図１２】
2018075453.tif 000014
【図１３】
2018075453.tif 000015
【図１４】
2018075453.tif 000016
【図１５】
2018075453.tif 000017
【図１６】
2018075453.tif 000018
【図１７】
2018075453.tif 000019
【図１８】
2018075453.tif 000020